(57)【要約】【課題】各画素内を区画する区画部分の面積を小さく抑えて全体として明るい表示パネルを提供する。【解決手段】表示パネル１は多数の画素１０を含み、各画素１０は枠体部分１１と、枠体部分１１内に形成され枠体部分１１内をＲ領域、Ｇ領域およびＢ領域に区画する直線状の区画部１２とを有している。Ｒ領域、Ｇ領域およびＢ領域は予め定められた所望面積を有し、各区画部１２は対応する枠体部分１１の各辺から直交して延びる垂直線からなっている。各区画部１２は画素１０内の交点１３において一点で交わる。【選択図】図１
2014137489.tif 000002
【特許請求の範囲】
【請求項１】
多数の画素を含む表示パネルにおいて、
各画素は当該画素を規定する枠体部分と、枠体部分内に形成され、枠体部分内をＲ領域、Ｇ領域およびＢ領域に区画する直線状の区画部分とを備え、
Ｒ領域、Ｇ領域およびＢ領域は予め定められた所望面積を有し、
直線状の区画部分は枠体部分から延びる垂直線からなり、各区画部分は画素内で一点で交わり、かつＲ領域、Ｇ領域およびＢ領域のうち任意の一つの領域は他の２つの領域と接することを特徴とする表示パネル。
【請求項２】
枠体部分は多角形状を有することを特徴とする請求項１記載の表示パネル。
【請求項３】
枠体部分は３角形状、５角形状または６角形状をもつことを特徴とする請求項２記載の表示パネル。
【請求項４】
表示パネルは液晶表示パネルからなることを特徴とする請求項１記載の表示パネル。
【請求項５】
表示パネルは有機ＥＬ表示パネルからなることを特徴とする請求項１記載の表示パネル。
【発明の詳細な説明】
【技術分野】
【０００１】
本発明はスマートフォンやタブレットＰＣ等に用いられる表示パネルに係り、とりわけ開口率を高めることができる表示パネルに関する。
【背景技術】
【０００２】
従来よりスマートフォンやタブレットＰＣ等に用いられる表示パネルとしては、非常に高精細（画素数３００ｐｐｉ以上）のものが求められている。今後は、更に高精細な表示パネル（画素数４５０ｐｐｉ）が求められると予想されている。
【０００３】
ところで表示パネルとしては、液晶表示パネルあるいは有機ＥＬ表示パネルが用いられるが、いずれの表示パネルも多数の画素を含み、各画素内がＲ領域、Ｇ領域およびＢ領域に区画されている。
【先行技術文献】
【特許文献】
【０００４】
【特許文献１】特開平１１−１７４４３０号公報
【特許文献２】特開平４−３５９６号公報
【発明の概要】
【発明が解決しようとする課題】
【０００５】
上述のように表示パネルは多数の画素を含んでいるが、この場合、各画素は枠体部分により規定され、かつ枠体部分内は区画部分によりＲ領域、Ｇ領域およびＢ領域に区画されている。
【０００６】
この場合、枠体部分および区画部分は、Ｒ領域、Ｇ領域およびＢ領域のような表示機能を果たす領域ではない。このためとりわけ区画部分の面積が大きくなると、各画素中の透過率が低下して各画素による表示機能が低下し、表示パネル全体として高精細で明るいパネルを提供することができない。
【０００７】
本発明はこのような点を考慮してなされたものであり、各画素内をＲ領域、Ｇ領域およびＢ領域に区画する区画部分の面積を可能な限り小さく抑えることができる表示パネルを提供することを目的とする。
【課題を解決するための手段】
【０００８】
本発明は、多数の画素を含む表示パネルにおいて、各画素は当該画素を規定する枠体部分と、枠体部分内に形成され、枠体部分内をＲ領域、Ｇ領域およびＢ領域に区画する直線状の区画部分とを備え、Ｒ領域、Ｇ領域およびＢ領域は予め定められた所望面積を有し、直線状の区画部分は枠体部分から延びる垂直線からなり、各区画部分は画素内で一点で交わり、かつＲ領域、Ｇ領域およびＢ領域のうち任意の一つの領域は他の２つの領域と接することを特徴とする表示パネルである。
【０００９】
本発明は、枠体部分は多角形状を有することを特徴とする表示パネルである。
【００１０】
本発明は、枠体部分は３角形状、５角形状または６角形状をもつことを特徴とする表示パネルである。
【００１１】
本発明は、表示パネルは液晶表示パネルからなることを特徴とする表示パネルである。
【００１２】
本発明は、表示パネルは有機ＥＬ表示パネルからなることを特徴とする表示パネルである。
【発明の効果】
【００１３】
以上のように本発明によれば、各画素内を区画する区画部分の面積を可能な限り小さくすることができ、これにより全体として高精細で明るい表示パネルが得られる。
【図面の簡単な説明】
【００１４】
【図１】図１は本発明の第１の実施の形態による表示パネルを示す図。
【図２】図２は本発明の第２の実施の形態による表示パネルを示す図。
【図３】図３は本発明の第３の実施の形態による表示パネルを示す図。
【発明の実施の形態】
【００１５】
第１の実施の形態
以下、図面を参照して本発明の実施の形態について説明する。
【００１６】
図１は本発明による第１の実施の形態を示す図である。
【００１７】
図１に示すように、表示パネル１は液晶表示パネルまたは有機ＥＬ表示パネルからなり、多数の画素１０を含んでいる。
【００１８】
そして各画素１０は当該画素１０を規定する枠体部分１１と、枠体部分１１内に設けられた直線状の３本の区画部分１２とを備えている。また画素１０を規定する枠体部分１１内は、区画部分１２によってＲ領域、Ｇ領域およびＢ領域に区画されている。
【００１９】
各画素１０において、枠体部分１１と区画部分１２は、Ｒ領域、Ｇ領域およびＢ領域のような表示機能を有しない、例えばブラックマトリックスからなり、Ｒ領域、Ｇ領域およびＢ領域に比べて透過率が低くなっている。
【００２０】
ところで図１に示すように枠体部分１１は正３角形状をなし、３本の直線状の区画部分１２は各々正３角形状の枠体部分１１の各辺と直交して垂直方向に延びて垂直線を形成する。そして枠体部分１１の各辺から垂直方向に延びる３本の区画部分１２は、画素１０内で交点１３において一点で交わっている。
【００２１】
また図１において、３本の区画部分１２により区画されたＲ領域、Ｇ領域およびＢ領域は、各々予め設計された所望面積を有しており、さらにＲ領域、Ｇ領域およびＢ領域のうち任意の一つの領域は他の２つの領域と区画部分１２を介して接している。
【００２２】
本実施の形態によれば、３本の区画部分１２は画素１０内で交点１３において一点で交わっており、かつ枠体部分１１の各辺と直交して垂直方向に延びている。このため３本の区画部分１２の全体の面積を小さくして、表示パネルを全体として明るくさせて表示機能を高めることができる。
【００２３】
すなわち、枠体部分１１から延びる３本の直線状の区画部分１２を設けるとともに、この３本の区画部分１２を一つの交点１３で交わらせて枠体部分１１内をＲ領域、Ｇ領域およびＢ領域を形成する場合、交点１３を通るが枠体部分１１の各辺と傾斜する同一幅の３本の直線状の区画部分１２を設けることも考えられる。
【００２４】
しかしながら、交点１３を通るが枠体部分１１の各辺と傾斜する３本の直線状の区画部分１２を設けた場合、明らかに交点１３を通るとともに枠体部分１１の各辺と直交する３本の区画部分１２を有する本発明に比べて、区画部分１２の全長が長くなる。このことにより区画部分１２の面積が増加して各画素による表示機能が低下してしまう。
【００２５】
これに対して本発明によれば、交点１３を通るとともに枠体部分１１の各辺と直交する３本の区画部分１２を設けたことにより、表示パネル全体として明るいパネルを提供することができる。
【００２６】
第２の実施の形態
以下、図面を参照して本発明の実施の形態について説明する。
【００２７】
図２は本発明による第２の実施の形態を示す図である。
【００２８】
図２に示すように、表示パネル１は液晶表示パネルまたは有機ＥＬ表示パネルからなり、多数の画素１０を含んでいる。
【００２９】
そして各画素１０は当該画素１０を規定する枠体部分１１と、枠体部分１１内に設けられた直線状の３本の区画部分１２とを備えている。また画素１０を規定する枠体部分１１内は、区画部分１２によってＲ領域、Ｇ領域およびＢ領域に区画されている。
【００３０】
各画素１０において、枠体部分１１と区画部分１２は、Ｒ領域、Ｇ領域およびＢ領域のような表示機能を有しない、例えばブラックマトリックスからなり、Ｒ領域、Ｇ領域およびＢ領域に比べて透過率が低くなっている。
【００３１】
ところで図２に示すように枠体部分１１はベース状の５角形状をなし、３本の直線状の区画部分１２は各々５角形状の枠体部分１１の対応する辺と直交して垂直方向に延びて垂直線を形成する。そして枠体部分１１の対応する辺から垂直方向に延びる３本の区画部分１２は、画素１０内で交点１３において一点で交わっている。
【００３２】
また図２において、３本の区画部分１２により区画されたＲ領域、Ｇ領域およびＢ領域は、各々予め設計された所望面積を有しており、さらにＲ領域、Ｇ領域およびＢ領域のうち任意の一つの領域は他の２つの領域と区画部分１２を介して接している。
【００３３】
本実施の形態によれば、３本の区画部分１２は画素１０内で交点１３において一点で交わっており、かつ枠体部分１１の対応する辺と直交して垂直方向に延びている。このため３本の区画部分１２の全体の面積を小さくして、表示パネルを全体として明るくさせて表示機能を高めることができる。
【００３４】
すなわち、枠体部分１１から延びる３本の直線状の区画部分１２を設けるとともに、この３本の区画部分１２を一つの交点１３で交わらせて枠体部分１１内をＲ領域、Ｇ領域およびＢ領域を形成する場合、交点１３を通るが枠体部分１１の対応する辺と傾斜する同一幅の３本の直線状の区画部分１２を設けることも考えられる。
【００３５】
しかしながら、交点１３を通るが枠体部分１１の対応する辺と傾斜する３本の直線状の区画部分１２を設けた場合、明らかに交点１３を通るとともに枠体部分１１の対応する辺と直交する３本の区画部分１２を有する本発明に比べて、区画部分１２の全長が長くなる。このことにより区画部分１２の面積が増加して各画素による表示機能が低下してしまう。
【００３６】
これに対して本発明によれば、交点１３を通るとともに枠体部分１１の対応する辺と直交する３本の区画部分１２を設けたことにより、表示パネル全体として明るいパネルを提供することができる。
【００３７】
第３の実施の形態
以下、図面を参照して本発明の実施の形態について説明する。
【００３８】
図３は本発明による第３の実施の形態を示す図である。
【００３９】
図３に示すように、表示パネル１は液晶表示パネルまたは有機ＥＬ表示パネルからなり、多数の画素１０を含んでいる。
【００４０】
そして各画素１０は当該画素１０を規定する枠体部分１１と、枠体部分１１内に設けられた直線状の３本の区画部分１２とを備えている。また画素１０を規定する枠体部分１１内は、区画部分１２によってＲ領域、Ｇ領域およびＢ領域に区画されている。
【００４１】
各画素１０において、枠体部分１１と区画部分１２は、Ｒ領域、Ｇ領域およびＢ領域のような表示機能を有しない、例えばブラックマトリックスからなり、Ｒ領域、Ｇ領域およびＢ領域に比べて透過率が低くなっている。
【００４２】
ところで図３に示すように枠体部分１１は正６角形状をなし、３本の直線状の区画部分１２は各々正６角形状の枠体部分１１の一つおきの各辺と直交して垂直方向に延びている。そして枠体部分１１の一つおきの各辺から垂直方向に延びる３本の区画部分１２は、画素１０内で交点１３において一点で交わっている。
【００４３】
また図１において、３本の区画部分１２により区画されたＲ領域、Ｇ領域およびＢ領域は、各々予め設計された所望面積を有しており、さらにＲ領域、Ｇ領域およびＢ領域のうち任意の一つの領域は他の２つの領域と区画部分１２を介して接している。
【００４４】
本実施の形態によれば、３本の区画部分１２は画素１０内で交点１３において一点で交わっており、かつ枠体部分１１の一つおきの各辺と直交して垂直方向に延びて垂直線を形成する。このため３本の区画部分１２の全体の面積を小さくして、表示パネルを全体として明るくさせて表示機能を高めることができる。
【００４５】
すなわち、枠体部分１１から延びる３本の直線状の区画部分１２を設けるとともに、この３本の区画部分１２を一つの交点１３で交わらせて枠体部分１１内をＲ領域、Ｇ領域およびＢ領域を形成する場合、交点１３を通るが枠体部分１１の一つおきの各辺と傾斜する同一幅の３本の直線状の区画部分１２を設けることも考えられる。
【００４６】
しかしながら、交点１３を通るが枠体部分１１の一つおきの各辺と傾斜する３本の直線状の区画部分１２を設けた場合、明らかに交点１３を通るとともに枠体部分１１の一つおきの各辺と直交する３本の区画部分１２を有する本発明に比べて、区画部分１２の全長が長くなる。このことにより区画部分１２の面積が増加して各画素による表示機能が低下してしまう。
【００４７】
これに対して本発明によれば、交点１３を通るとともに枠体部分１１の一つおきの各辺と直交する３本の区画部分１２を設けたことにより、表示パネル全体として明るいパネルを提供することができる。
【符号の説明】
【００４８】
１  表示パネル
１０  画素
１１  枠体部分
１２  区画部分
１３  交点
【図１】
2014137489.tif 000003
【図２】
2014137489.tif 000004
【図３】
2014137489.tif 000005